(57)【要約】タンデムノードシステムは、第１カスタマの第１ポート群に接続されたアクセスリンクと、第１ルータに接続された第１ネットワークリンクとを有する第１ノードを具えている。第２ノードは、前記第１カスタマの前記第１ポート群に接続されたアクセスリンクと、第２ルータに接続された第１ネットワークリンクとを有している。前記第１ノードは、前記第２ルータの第２ネットワークリンクに接続された第２ネットワークリンクを有している。
2007533205.tif 000002
【特許請求の範囲】
【請求項１】
第１カスタマの第１ポート群に接続されたアクセスリンクと、第１ルータに接続された第１ネットワークリンクとを有する第１ノードと、
前記第１カスタマの前記第１ポート群に接続されたアクセスリンクと、第２ルータに接続された第１ネットワークリンクとを有する第２ノードと
を具えるタンデムノードシステムであって、
前記第１ノードは、前記第２ノードの第２ネットワークリンクに接続された第２ネットワークリンクを有しているタンデムノードシステム。
【請求項２】
請求項１に記載のタンデムノードシステムにおいて、前記第１ノードをアクティブ状態にし、前記第２ノードを非アクティブ状態であるスタンバイノードとしたタンデムノードシステム。
【請求項３】
請求項１に記載のタンデムノードシステムにおいて、前記第１ノードは、第１カスタマに接続された第１アクセスリンクの第１ポートを有しており、前記第２ノードは、前記第１カスタマに接続された第１アクセスリンクの第１ポートを有しているタンデムノードシステム。
【請求項４】
請求項３に記載のタンデムノードシステムにおいて、前記第１ノードは、第２カスタマに接続された第２アクセスリンクの第２ポートを有しており、前記第２ノードは、前記第２カスタマに接続された第２アクセスリンクの第２ポートを有しているタンデムノードシステム。
【請求項５】
請求項４に記載のタンデムノードシステムにおいて、前記第１ノードの前記第１ポートが、前記第１ノードの前記第２ポートから分離され、前記第１ノードの前記第１ポートと前記第１ノードの前記第２ポートとの間の直接的な通信が許容されないようになっているタンデムノードシステム。
【請求項６】
タンデムノードシステムにおいて情報を送信する送信方法において、この送信方法が、
第１カスタマの第１ポート群に接続された第１アクセスリンクと、第１ルータに接続された第１ネットワークリンクとを有する第１ノード、及び前記第１カスタマの前記第１ポート群に接続された第２アクセスリンクと、第２ルータに接続された第１ネットワークリンクとを有する第２ノードを提供し、前記第１ノードは、前記第２ノードの第２ネットワークリンクに接続された第２ネットワークリンクを有しているようにする過程と、
前記第１アクセスリンクにおける前記第１ノードに情報を送る過程と、
前記第１ノードが情報を受信して、この情報を前記第１ネットワークリンクにおいて前記第１ルータに転送する過程と、
前記第１ノードが、前記情報と同じ情報を前記第２ネットワークリンクにおいて前記第２ノードに転送する過程と、
前記第２ノードが、前記第２ネットワークリンクにおいて前記第１ノードから前記情報を受信する過程と、
前記第２ノードが、受信した情報を前記第１ネットワークリンクにおいて前記第２ルータに送信する過程と
を有している送信方法。
【請求項７】
請求項６に記載の送信方法において、この送信方法が更に、
前記第１ノードをアクティブ状態に設定するとともに前記第２ノードをスタンバイ状態に設定する過程
を有している送信方法。
【請求項８】
請求項６に記載の送信方法において、この送信方法が更に、
前記第２ノードがスタンバイ状態にある際に、この第２ノードが前記第１カスタマからの情報を無視し、前記第２ノードがスタンバイ状態にある際に、この第２ノードが前記第２ネットワークリンクにおいて前記第１ノードから情報を受信するようにする過程
を有している送信方法。
【請求項９】
請求項６に記載の送信方法において、この送信方法が更に、
前記第２ノードをスタンバイ状態にし、この第２ノードがスタンバイ状態にある際に、この第２ノードがこの第２ノードのアクセスポートで受信される情報を無視するとともに、前記第２ネットワークリンクで受信される情報を受け入れ、この受信された情報を第１ネットワークリンクに転送する過程
を有している送信方法。
【請求項１０】
請求項６に記載の送信方法において、この送信方法が更に、
前記第２ノードを、第１ポート群に対してスタンバイ状態にするとともに第２ポート群に対してアクティブモードにする過程
を有している送信方法。
【請求項１１】
請求項６に記載の送信方法において、この送信方法が更に、
前記第１ノードをアクティブ状態に設定するとともに、前記第２ノードを非アクティブ状態に設定する過程
を有している送信方法。
【請求項１２】
請求項１１に記載の送信方法において、この送信方法が更に、
前記第１ノードと関連する故障を識別し、この第１ノードをアクティブ状態からスタンバイ状態に切り替える過程
を有している送信方法。
【発明の詳細な説明】
【技術分野】
【０００１】
本発明は、２００４年１月２３日に出願した米国特許出願第１０／７０７９１６号の継続特許出願であり、タンデムノードシステム及びタンデムノードを介して情報を送る方法に関するものである。
【背景技術】
【０００２】
マーリン（Marlin）ノードユニットから成るインフラストラクチュアの論理的トポロジーは常にハブアンドスポークである。全てのトラフィックはハブにバックホールされ、トラフィックはハブを構成するルータ又はスイッチを通ることなしに２つのアクセスインターフェース間で交換されることはない。図１の従来技術のインフラストラクチュア１０は、カスタマ（顧客）Ｃ１〜Ｃ６と関連するアクセスネットワーク１６に接続されたルータ１２及び１４を示しており、カスタマＣ１〜Ｃ６は、順次に内部ネットワークに接続される企業とすることができる。アクセスネットワーク１６はＶＬＡＮ構造に適した複数のイーサネット（登録商標）スイッチを有するメトロアクセスシステムとすることができる。イーサネットスイッチはカスタマ間の直接的な通信を可能にするが、このようないかなる通信をも回避するために、オペレータはしばしばＶＬＡＮ技術及びイーサネットスイッチにおける特別な機能性を用いる。この場合、オペレータは、トラフィックを測定し、これに応じてカスタマに料金を請求することができ、更にオペレータはカスタマを互いに保護することができる。ハブノードに接続されている各トランクリンク１８及び２０は、システムにおけるリーフアクセスポートに帰属する幾つかのカスタマからトラフィックを伝えることができる。個々のリーフアクセスポートは、ハブノードにおけるルータサブインターフェース又はＶＬＡＮテーブルエントリと関連する独特なタグで表される。
【０００３】
イーサネットスイッチは、宛先アドレスに基づいたパケットを転送する。イーサネットスイッチは、友好的な企業環境に対するものであり、ネットワークの設置及び操作を容易にするための多数の自動的な特徴を有している。しかし、これらの自動的な特徴は、大規模なオペレータ環境では問題となる。これらの自動的な特徴は、大規模なインフラストラクチュアにはそぐわず、安全を高めるためにしばしば切断する必要がある。このようにするには、場合によっては多数の個別のユニットを手動設定する必要がある。イーサネットスイッチの自動的な特徴の一特定例は、イーサネットスイッチが、受信したパケットのそれぞれの独自のソースアドレスを動的に学習してトラフィックの転送を最適化するようにすることである。カスタマがサービスプロバイダを介することなくして直接互いに通信しえないようにするためには、しばしば上述した学習処理を解放させる必要がある。要するに、基本的なイーサネットスイッチに対する問題には、カスタマを分離させるためのサポートがないという問題と、末端のカスタマ間の直接的なクロストラフィックが許容されているという事実により、安全の程度が低いという問題と、ドス（ＤｏＳ）攻撃に対しアドレス学習が開放されるおそれがあるという問題と、多量の分散ユニットを設定及び管理する必要があるという事実の為に、分散素子の管理及びサービス生成が必要となるという問題と、標準仕様のスパニングツリープロトコル（ＳＴＰ）に基づく回復が遅くなるという問題が含まれる。
【発明の開示】
【０００４】
本発明のシステムは、上述した問題に対する解決策を提供するものである。特に、本発明のタンデムノードシステムは、第１カスタマの第１ポート群に接続されたアクセスリンクと、第１ルータに接続された第１ネットワークリンクとを有する第１ノードを具えている。第２ノードは、前記第１カスタマの前記第１ポート群に接続されたアクセスリンクと、第２ルータに接続された第１ネットワークリンクとを有している。前記第１ノードは、前記第２ノードに接続された第２ネットワークリンクを有している。各ノードは２つの別々のアクセスポート間の直接的な通信を回避する。第１ノードはアクティブ状態にしてアクセスポートからのトラフィックを転送し、第２ノードは非アクティブ状態であるスタンバイ状態にしてアクセスポートからのトラフィックを廃棄するようにするのが好ましい。
【実施例】
【０００５】
図２に示すように、物理的なトポロジー３０は論理的なハブ及びスポークと異ならせることができる。第１に、ハブノードに向かう幾つかのステップでカスタマのトラフィックを集めるのにツリー構造を用いることができる。ツリーが不適切である場合に増築を簡単化するか、ファイバ又は銅のリンクの量や、ルータ又はスイッチインターフェースの数を低減させるのにマービン（Marvin）多重ユニット３２及び３４を用いることができる。これらのユニット３２及び３４は、複数のカスタマラインを接続及び合流させたり、各カスタマラインをタグに対して分離させてこれらのラインが一緒にならないようにしたりするのに用いることができる。各ユニットは、例えば、１０個のアクセスポートと、２つのネットワークポートとを有することができる。ユニット３２及び３４はイーサネットフレームを受信及び送信する特性を有することができ、これらユニットはアクセスポートとネットワークポートとの間でのみ情報をスイッチングするだけであり、異なるアクセスポート間でも、異なるネットワークポート間でも情報をスイッチングするものではない。タグは、カスタマからの及びカスタマへのトラフィックを識別するのに用いられるため、ハブノードにおける仮想インターフェースを各カスタマに対し設置することができる。
【０００６】
タグは、実行を容易にするために現在多くのルータやスイッチで用いられている種類のものとするのが好ましい。
【０００７】
タグが付されていないトラフィックがカスタマから到来すると、マービンユニットは、このトラフィックがその上流のマービンユニット又はハブノードに送られる前にタグを付し、このタグは、トラフィックが正しい仮想インターフェースに確実に送られるようにし、このタグは最終的にこの仮想インターフェースで除去することができる。このようにして、ハブノードは、どのアクセスポートからトラフィックが送られたかをも知るものである。次に、ハブノードはＩＰネットワーク又はその他の何れかの適切なネットワークに接続することができる。
【０００８】
異なる多くのアクセスネットワークサービスアーキテクチャを用いることができる。これらのアーキテクチャは、メトロコアネットワーク及びカスタマサイトに対する余分の（冗長的な）接続ライン数に基づかせることができる。シングル及びデュアル（二重）接続によれば、単一のカスタマが接続されるシングルネットワークを含む４つの可能な組み合わせを提供する。シングルネットワーク‐シングルカスタマのアーキテクチャでは、アクセスネットワークが１つの接続ラインを介してメトロコアに取り付けられ、カスタマが１つの接続ラインを介してアクセスシステムに接続される。ネットワークコアからアクセスシステムを介して送信される全てのトラフィックが、重複することなしにカスタマに供給され、その逆も同様である。あらゆる冗長及び回復機構がアクセスサブシステム内に隠される。このアーキテクチャでは、取り付け（アタッチメント）リンク及び取り付けノードを保護することが不可能である。
【０００９】
他の状況は、シングルカスタマが取り付けられたデュアルネットワークである。この場合、アクセスネットワークは２つの独立した接続ラインを介してメトロコアに取り付けられ、カスタマは１つの接続ラインを介してアクセスシステムに接続される。このようにすることにより、ルータ及びスイッチのような２つのハブノードをアクセスネットワークに接続して、ハブノードが故障した場合に、一方のハブノードを他方のハブノードに対する予備とすることができる。２つのメトロコア取り付けリンクの何れかを介してネットワークコアから送信される全てのトラフィックはカスタマに転送される。プロバイダエッジ装置が情報をフィルタリングしてＩＰルータのように重複を回避しうるようになっている場合には、カスタマからのトラフィックは２つのメトロコアアクセスリンクの双方に転送される。スイッチ式イーサネットのような他の環境では、イングレストラフィックが２つのメトロコアリンクのうちの一方を介してのみ送られる。この追加のフィルタリングは、メトロコアに取り付けられているマーリンノードにより行われる。このアーキテクチャでは、取り付けリンク又は取り付けノードを保護することができるが、メトロコアシステム又はカスタマシステムに追加の機能性が必要となる。これらの必要となる機能性は、ＶＲＲＰや、ＨＳＲＰや、一般的な動的ルーティングプロトコル、例えば、ＯＳＰＦのような特定の冗長機構により満足させうる。ＶＲＲＦ及びＨＳＲＰのみがメトロコアシステムを有効にし、ＯＳＰＦでは保護処置でカスタマも加わる必要がある。
【００１０】
他の分類は、シングルネットワークに二者のカスタマが帰属したものである。アクセスネットワークは１つの接続ラインを介してメトロコアに取り付けられ、カスタマは二重の接続ラインを介してアクセスサブシステムに接続される。ネットワークからアクセスシステムを介して送信される全てのトラフィックは重複することなしに何れかのカスタマ接続ラインに供給される。このシステムでは、カスタマが各フレームの１つのコピーを、取り付けられた接続ラインの双方に供給するか、又はカスタマが単一のコピーを、取り付けられた接続ラインの一方に供給する２つのモードが可能となる。これらの双方の場合、アクセスネットワークが、トラフィックを重複することなしに供給するのを保証する。カスタマがアクセスリンクの１つのみにトラフィックを送ることを選択する場合には、故障の場合の復元を達成するのに、カスタマはアクセスシステム自体又はメトロコアシステムの何れかと交信する必要がある。
【００１１】
最後の分類は、デュアルネットワークに二者のカスタマが帰属したものである。アクセスネットワークは二重の接続ラインを介してメトロコアに取り付けられ、カスタマも二重の接続ラインを介してアクセスサブシステムに接続される。この例は上述した例の組み合わせである。
【００１２】
あらゆる種類の復元機構に対する基本的な条件は、冗長資源（リソース）が存在することである。一般的な１つの模範は、１つの特定の資源を主資源として用い、これを同じ型のバックアップ、すなわち、予備資源により保護することである。多数の主資源に対し１つの資源をバックアップとすることができる。マーリンユニットで構成されたアクセスユニットにおいて重複するおそれのある種類の資源は、通信リンク及びマーリンノードである。通信リンクには、光学的なものと電気的なものとが含まれる。多くの冗長性を得るには、異なるケーブルに重複リンクを位置させて物理的に異なる通信経路を達成するようにする必要がある。マーリンユニットのようなノードを重複させて、ノードの故障に対して保護したり、これらに関する性能向上及び保守を、サービス提供を妨害することなしに実行する機構を提供したりすることができる。
【００１３】
以下に詳述するように、ノード及びリンクの冗長性があると、アクセスネットワーク内の故障に対しシステムを保護することができる。コアネットワークへの取り付けリンクやコアネットワークの取り付けユニットの故障に対して保護を行うには、ルータ又はスイッチのような取り付け点を重複させる必要がある。コアネットワークがＩＰネットワークである場合には、ルータを重複させることにより、ルータの故障やアクセスネットワークへの取り付けリンクの故障に対する保護を行うことができる。又、ルータを重複させることにより、サービス提供を妨害することなしに保守及び性能向上を実行することができる。ルータが故障した場合、この故障したルータをバックアップルータへ手動切り替えするか、又はＯＳＰＦのような動的なルーティングプロトコル或いはＶＲＲＰ／ＨＳＲＰのようなその他の機構を用いた自動スイッチングにより回復を達成することができる。マーリンアクセスネットワークにおいて如何にして回復機構が裏付けされているかを以下に詳細に説明する。コアネットワークがピュアレイヤ２切り替えイーサネットである場合には、イーサネットスイッチのような冗長取り付けノードにより、上述したように冗長ルータで行われるのと同じ種類の保護を達成することができる。レイヤ２イーサネットシステムでは、故障した主スイッチから補助的なバックアップスイッチへの切り替えをコアレイヤ２ネットワーク内で自動的に行うことができる。しかし、これによりマーリンアクセスネットワークに関する幾つかの追加の条件を課する。
【００１４】
マーリンアクセスネットワークは、デュアル冗長取り付けリンクを介してカスタマサイトを接続するのに用いることもできる。これらの場合、加入者宅内機器（ＣＰＥ）がある条件を満足して、デュアルリンクをカスタマから隠すとともに、ＣＰＥと、シングル、全二重及びイーサネット接続を含むカスタマ機器との間に簡単で良好に規定されたインターフェースを有するようにする必要がある。従って、ＣＰＥはデュアル冗長取り付けリンクとシングルカスタマリンクとの間をマッピングする必要がある。ＣＰＥはそのネットワークポートの何れかからトラフィックを受信しうるとともに、全てのデータをこれらの双方を経て送信しうるようにする必要がある。これらの条件は双方とも、Ｍ１０００ユニットや、ＥＳＰ１５０ＣＰユニットのような他のユニットにより満足させることができる。
【００１５】
アクセスネットワークにおけるノード及びリンクを含む資源を故障から回復させるためには、故障検出、保護ポリシー及び修復機構を含む３つの機構を適所に配置する必要がある。故障検出は、資源をモニタリングすることにより、例えば、リンク上のＣＲＣエラーの数をモニタリングすることにより、又はウォッチドッグタイマを用いて特定のノードが生きていることをモニタリングすることにより達成しうる。これらの機構は適所にあり、ノード又はリンクの故障時に双方のネットワークポートを介して送ることのできる事象メッセージをマーリンノードが供給しうることを前提としうる。
【００１６】
保護ポリシーは、特定の故障が生じた際に如何なる処置をとる必要があるかに関する決定を行うことができる。このような決定を行うためには、アクセスネットワークの物理的トポロジーに関する知識が必要である。最後に、修復機構は保護ポリシーに基づいて取られる決定の実行によるものである。
【００１７】
保護ポリシー及び修復は、マーリンアクセスネットワークにおいて種々の異なる方法で実行しうる。解決策は、手動再構成による修復と、タンデムノードを用いることによる自動修復との２つのカテゴリーに分けることができる。
【００１８】
手動再構成により修復を行うことができる。この方法を用いる場合、マーリンアクセスシステムがリンク及びノードの故障を検出し、これらに関する情報を、トポロジーの知識を有するユニットに伝達し、次に、このユニットが故障に関する情報を、場合によっては対策案をも中央ネットワーク管理システムに伝達し、この中央ネットワーク管理システムにおいて、オペレータがサービスの回復のための何らかの対策を取る必要がある。
【００１９】
一例としては、マーリンアクセスネットワークを、如何なる動的ルーティングプロトコル又はＶＲＲＰ／ＨＳＲＰをも実行しない２つのルータに接続し、これらのルータ間で通信が行われないようにすることができる。ポート（Ｐ）のような特定のリーフアクセスポートに対して、ルータＡのような一方のルータが主ルータであり、ルータＢのような他方のルータが補助ルータであるものと仮定することができる。主ルータがポート（Ｐ）に及びポート（Ｐ）からトラフィックを転送し、コアネットワークの残余部分はルータＡを介するポート（Ｐ）への経路を有する。故障がアクセスネットワークに生じてルータＡからポート（Ｐ）への通信路を無効にする場合には、故障に関する情報を有するＳＮＭＰのようなメッセージを中央ネットワーク管理システムに伝送することができる。次に、オペレータがルータＢを補助状態から主状態に手動で切り替えてサービスを回復させることができる。補助状態から主状態への切り替えには、ポート（Ｐ）に対応するルータＢの仮想インターフェースをスタンバイモードから動作モードに設定し、これによりルータＢがこのインターフェースへ及びこのインターフェースからトラフィックを転送しうるようにするとともに、仮想インターフェースに取り付けられた如何なるサブネットにも対する到着可能性をルータＢの隣接ルータに通知し、この処置を介してポート（Ｐ）へのトラフィックの転送をルータＡからルータＢへ移動させることを含めることができる。
【００２０】
図３に最も良好に示すように、冗長性を得るために、システム４０の２つのマーリンユニット４２及び４４をタンデム接続することができる。タンデム接続されると、２つのマーリンユニット、すなわちノード４２及び４４のＵ２ネットワークポート４６及び４８がＵ２リンク５０を介して互いに接続され、アクセスポート５２及び５４が対で群に分けられ、２つのユニット４２及び４４の（ｉ）＝５２／５４（１）；５２／５４（２）；…；５２／５４（１０）を含むアクセスポート（ｉ）が同じ群に属するようになる。ポート群のインデックスは、ポートのインデックスと同じにすることができる。１ポート当たりに基づくタンデムノード４２及び４４の動作を以下に説明する。カスタマＣからのイングレストラフィックをＵ１及びＵ２の双方のリンクに転送して冗長性を得ることができる。タンデムノードが１つ又は数個のＩＰルータを介してＩＰネットワークに接続されている場合には、これらのルータが、同じメッセージをＩＰネットワークに２度送らないようにする。タンデムノードが１つ又は数個のイーサネットを介して、スイッチングされたイーサネットに接続されている場合には、取り付けられたスイッチにメッセージが重複して送られないようにすることがタンデムノードの責務となる。
【００２１】
タンデムノードのイーグレストラフィックは、例えば、構成要素のマーリンノードの１つであるＵ１ネットワークポートのようなタンデムノード４２のネットワークポートリンクＵ１を介して受信され、この受信されたトラフィックのタグにより決定されたポート群のアクセスポートの１つに転送される。これと同時に、タンデムノードの他のネットワークポート、すなわち、他の構成要素のマーリンノードのポートＵ１を介してトラフィックが受信され、同じ値のタグが付されている場合には、このトラフィックが同じポート群におけるアクセスポートの１つに転送され、タグが付されたトラフィックがタンデムノードの１つ又は他のネットワークポートを介して到来するかは問題とならない。タンデムノード４２及び４４内のトラフィックの経路は、個々のマーリンノード内と同様に、タグに依存し、ＯｘＸＸ３のタグが付されたフレームがポート群３におけるポートの１つに転送される。
【００２２】
ポート群におけるアクセスポートの１つを介して受信されるイングレストラフィックは双方のタンデムノード４２及び４４のネットワークポートＵ１に転送される。このポート群における他のポートを介して受信されるイングレストラフィックは破棄するのが好ましい。
【００２３】
従って、ポート群を抽出ポートとみなし、ポート群内の個々のポートの同一性が無視される場合には、タンデムモードの動作を通常のマーリンノードの動作と同じにできる。
【００２４】
図４に最も良好に示すように、内部的にはタンデムノード５６を、Ｕ２ポートと２つのＵ１ポート５８及び６０を接続した２つのマーリンユニット４２及び４４をもって構成することができる。タンデムノード５６のポート群（ｉ）は２つの構成ユニット４２及び４４のアクセスポート（ｉ）をもって構成することができる。２つのマーリンユニット４２及び４４の各々はタンデムモードで動作する。タンデムモードの場合、２つのタンデムモードの一方においては、マーリンユニットはアクティブ状態及びスタンバイ状態を含む１アクセスポート当たりに基づかせることができる。第１のアクセスポートに対するマーリンユニットの状態はアクティブにでき、一方、マーリンユニットは第２のアクセスポートに対しスタンバイ状態にすることができる。換言すれば、マーリンユニットの状態はアクセスポートに関連する。マーリンユニットがアクセスポート（ｐ）に対しアクティブ状態にある場合、このマーリンユニットは完全に通常のマーリンユニットと同様に動作する。すなわち、そのネットワークポートの何れかから受信されＯｘｐのタグが付されたデータをポート（Ｐ）に転送し、アクセスポート（Ｐ）を経て受信した全てのイングレストラフィックをそのネットワークポート５８及び６０の双方に転送する。アクセスポート（Ｐ）に対しスタンバイ状態にある場合、マーリンユニットは、イーグレストラフィックに対し、Ｕ１ポート５８又は６０を介して受信されＯｘＸＸｐのタグが付された全てのトラフィックを変更せずにＵ２にバイパスし、イングレストラフィックに対しては、その逆にバイパスする。更に、アクセスポート（Ｐ）を介して受信されたイングレストラフィックは破棄される。
【００２５】
タンデムモードで動作するマーリンユニットは、１アクセスポート及びタグ当たりに基づいて動作させることもできる。この場合、第１のアクセスポート及び第１のタグ（ｐ,ｔ）に対するマーリンユニットの状態はアクティブ状態にでき、第２のアクセスポート及び第２のタグ（ｐ′,ｔ′）に対するマーリンユニットの状態はスタンバイ状態にでき、この場合、ｐ＝ｐ′又はｔ＝ｔ′のどちらかを適用しうる。マーリンユニットがアクセスポート（ｐ）及びタグ（ｔ）に対しアクティブ状態にある場合には、このマーリンユニットは完全に通常のマーリンユニットと同様に動作し、例えば、何れかのネットワークポートから受信されＯｘｐｔのタグが付されたデータをポートｐに転送してタグをＯｘｔと読まれるように変更し、アクセスポートｐを介して受信されＯｘｔのタグが付された全てのイングレストラフィックをそのネットワークポート２５８及び２６０の双方に転送してタグをＯｘｐｔと読まれるように変更する。マーリンユニットがアクセスポート（ｐ）及びタグ（ｔ）に対しスタンバイ状態にある場合には、このマーリンユニットは、イーグレストラフィックに対し、Ｕ１ポート２５８又は２６０を介して受信されＯｘｐｔのタグが付された全てのトラフィックを変更せずにＵ２にバイパスし、イングレストラフィックに対しては、その逆にバイパスする。更に、アクセスポート（Ｐ）を介して受信されＯｘｔのタグが付されたイングレストラフィックは破棄される。
【００２６】
このようにすることにより、タンデムノードが高度の冗長性を提供する。その理由は、何れのマーリンノードの場合のように、ネットワークポートが重複され、ノード自体が重複され、アクセスポートが重複される為である。デュアルネットワークポートを有するユニット（Ｕ）をタンデムノードに接続し、ユニット（Ｕ）の双方のネットワークポートがタンデムノードの同じポート群の２つのポートに接続されるようにすることにより、保護されたアクセスネットワークを構成することができる。タンデムノードのアクセス側には如何なるシステムも接続することができ、このシステムが、双方のネットワークポートからデータを受け、アクセスポートから受けた全てのデータを双方のネットワークポートに転送する限り、このシステムを保護することができる。上述した概念を、変更することなしに受け入れうる２つのシステムは、マーリンユニット自体と、ＦＳＰ１５０ＣＰのようなＡＤＶＡユニットとである。マーリン又はタンデムユニットから構成された完全なサブツリーはポート群に接続しうることを銘記すべきである。又、マーリンユニットから構成された非保護チェーンは上述した条件を満足し、従って、ポート群に接続しうることも銘記すべきである。
【００２７】
タンデムノード自体におけるノードの故障及びアクセスリンクの故障に対する保護を行うために使用される修復機構は、構成要素のマーリンユニットのタンデム状態をアクティブ状態からスタンバイ状態に及びスタンバイ状態からアクティブ状態に切り替えることである。タンデムモードから成るマーリンアクセスネットワークは、アクセスネットワーク内のノード及びリンクの故障や、タンデムノードの部分を構成するマーリンユニットの故障に対し保護を行う。
【００２８】
タンデムノードの修復機構は、トリー又はチェーンがポート群に接続されている場合と完全に同じにすることができる。タンデムノードはそれ自体ではアクセスネットワークをメトロコアに接続するのに用いられるリンクの故障に対し保護を行わず、しかもルータの故障に対しても保護を行わないことを銘記すべきである。しかし、タンデムノードは、ＶＲＲＰ、ＨＳＲＰのような他の冗長機構やＯＳＰＦのような動的ルーティングプロトコルと協同して機能して、以下に説明するように上述した種類の故障に対し保護を行うことができる。
【００２９】
図５に最も良好に示すように、タンデムノード５６は、リンクがこのタンデムノード５６又は通常のマーリンノードの下に位置する場合にこのリンクをマーリンアクセスネットワークの内部に有する。リンク６４及び６６で示すように、アクセスポート群（Ｐ）に対して、タンデムノード５６のマーリンユニット４２はアクティブ(Active)状態にあるとともにマーリンユニット４４はスタンバイ(Stand-by)状態にある。一般には、ポート群（Ｐ）は２つのポート、すなわち、マーリンユニット（Ｍ1 ）のポート（ｐ1 ）とマーリンユニット（Ｍｒ ）のポート（ｐｒ ）とより成る。ポート群ｐのポートｐ1 に接続されたリンクが故障すると、マーリンユニットＭ1 とマーリンユニットＭｒ との双方に、この故障を知らせる事象が発生される。この事象を受けると、マーリンユニットＭ1 はポート群ｐに対する状態をアクティブ状態からスタンバイ状態に切り替え、マーリンユニットＭｒ はポート群ｐに対する状態をスタンバイ状態からアクティブ状態に切り替える。これらの切り替え後、ポート群ｐに対するタンデムノード５６の動作が修復され、故障前の動作と修復後の動作とが同じとなる。
【００３０】
特に、リンク６４に故障(Fail)６２が生じるものとする。ノード４２は、リンク６４でトラフィックを受信しない為、アクティブモードからスタンバイ状態に切り替わる。ノード４４は、タンデムリンク７０で情報を受信しない為に、スタンバイモードからアクティブモードに切り替わることができる。ノード４４は、リンク６６における到来トラフィックとタンデムリンク７０における到来トラフィックとを比較するように設定することもできる。これらのトラフィック間に大きな不一致が存在する場合には、ノード４４は、リンク故障が存在するということ、又はノード４２が故障中であるということを結論することができる。リンク６４の故障６２はノード４２により見つけることもでき、このノードが警報メッセージをリンク５８に送るとともにタンデムリンク７０を介してノード４４に送り、ノード４２がスタンバイモードに切り替わることを知らせる。ノード４４はこの警報信号を受信すると、アクティブモードに切り替わる。
【００３１】
ノード４４はアクティブモードにある為、このノード４４はリンク６６で送られる情報を受け、この情報をリンク６０に転送する。ノード４４は、情報をリンク７０にも転送し、この情報がノード４２により受けられてリンク５８に転送される。従って、ノードにおける情報の流れが反転され、情報はリンク５８及び６０の双方に転送される。
【００３２】
図６は、マーリンユニット４２及び４４間に延在するタンデムリンク７０におけるタンデムリンク故障６８の修復を示す線図である。図６の左側の部分は、マーリンユニット４２がポート群ｐに対しアクティブ状態にあり、右側のマーリンユニット４４がスタンバイ状態にある通常の状況を示している。これらのタンデムユニットを相互接続するタンデムリンク６８が故障する場合には、これらの双方のタンデムユニットに、リンクダウンのような直接検出機構を介するか、又はタンデムノードにおけるノード４２及び４４間の通信の存在又は非存在に基づく間接検出機構を介するかを通知しうる。ノード４２及び４４はリンク７０上の状態情報を規則的に交換し、リンク７０が故障した場合にスタンバイノードが通知され、アクティブノードが故障した場合にスタンバイノードがアクティブ状態に切り替わるようにすることができる。双方のマーリンユニット４２及び４４は、タンデムリンク故障６８の通知を受けると、全てのポート群に対しアクティブ状態に入り、双方のリンク６４お６６がアクティブとなってトラフィックを通し、このトラフィックが双方のリンク５８及び６０を経て転送されるようにするのが好ましい。この状態変化後、タンデムノード５６の動作は、タンデムリンクの故障前と同じとなり、トラフィックはリンク５８及び６０を経て接続ルータに流れるようになる。
【００３３】
図７は、ノード７２の修復の一例を示す。マーリンアクセスネットワークの内部の故障、すなわち、ルータのすぐ下でない故障は、内部リンク故障と同様に処理しうる。コアネットワーク又はルータに直接接続されたタンデムノードのノード故障にはある追加の説明が必要となる。その理由は、ルータへのリンクが完全に失われている為である。例えば、タンデムノード５６のノード４２にノード故障７２が存在するものとする。このノード４２はルータ１２に直接接続されており、故障７２とルータ１２との間にノードが存在しない。ノード４４が、リンクダウン信号により又はノード４２からリンク７０を介する通信の不存在により故障７２を検出し、全てのポート群に対しスタンバイ状態をアクティブ状態に変更する。この状態変更後は、最も左側のリンク６４を介して送られるイングレストラフィックがその目的地に到達せず、トラフィックがネットワークリンク５８を介してルータ１２に受信されないということを除いて、タンデムノード５６の動作を修復させることができる。トラフィックはルータ１４からリンク６０及びマーリンユニット４４を介してリンク６６を流れたり、その逆に流れたりする。マーリンアクセスネットワークに１つのみの動作取り付け点しか残っていないこの状態は避けることができない。その理由は、ユニットは故障したコアネットワークに取り付けられているものである為である。このような種類の故障に対しサービスを保護するためには、アクセスネットワークを重複ルータを介してコアネットワークに接続することができ、サービスの修復を自動化する必要がある場合には、ルータが、ＯＳＰＦのようなある種類の動的ルーティングプロトコル、或いはＶＲＲＰ又はＨＳＲＰ７４のような他の種類のある一般的な保護用ソフトウェアを実行し、ルータ１２及び１４がＵ２リンク７０やリンク５８及び６０を介して通信しうるようにする必要がある。ノード４２が故障すると、ルータ１２により送られるＶＲＲＰ情報はリンク７０及びリンク６０を介してルータ１４に到達しえない。その理由は、ＶＲＲＰ情報は故障したノード４２を通過しない為である。
【００３４】
図７のマーリンアクセスネットワークは、ＶＲＲＰ／ＨＳＲＰを実行する２つのルータ１２及び１４を用いるコアネットワークに接続されているものとする。ユニット４２に取り付けられているルータ１２はアクティブ状態にあり、一方、ユニット４４に取り付けられたルータ１２はスタンバイ状態にある。
【００３５】
ノード４２が故障すると、例えばルータインターフェースにおけるリンクダウン信号を介して、取り付けリンク５８又はノード４２の何れかが故障しているという事実をルータ１２が知るようになる。従って、ルータ１２は、影響されたインターフェース及びそのサブインターフェースを、その取り付けられたサブネットワークのルーティングテーブルからコアネットワークの残りの部分へ移動させるとともに、コアネットワークの残りの部分に対する、取り付けられたサブネットワークの到達可能性の通知を停止させることができる。これにより、ルータ１２はアクティブ状態を終了することができる。従って、ルータ１４は、ルータ１２からのメッセージが存在しないことにより故障を検出し、アクティブ状態に入ることができる。この状態では、ルータ１４が、マーリンアクセスネットワークを介して接続された全てのサブネットワークへの到達可能性の通知を開始し、タンデムノード５６に接続されたリンクを介して受信されたイングレストラフィックの転送を開始することができる。
【００３６】
ノード４２が故障し、ルータ１２がこの故障を直接知ることなく、リンクが依然としてアクティブ状態にあるがマーリンノード４２がトラフィックを転送しないようになると、タンデム保護機構がこの故障を、例えばノード４２からの通信の不存在により検出し、
上述したようにして動作を修復しうるようになる。
【００３７】
更に、ＶＲＲＰ／ＨＳＲＰプロトコルにより、ルータ１４がバックアップ状態からアクティブ状態へ切り替わるようにしうる。この場合の問題は、ルータ１２がローカルノードの故障を知ることができず、ＶＲＲＰ／ＨＳＲＰトラフィックが存在しないことにより、バックアップルータ１４が故障していると、間違って結論づけてしまう場合が生じることである。従って、ルータ１２がアクティブ状態に維持されるおそれがある。従って、バックアップルータ１４は、ルータ１２からいかなるトラフィックも受信しない為にバックアップ状態からアクティブ状態に切り替わるおそれがある。従って、情報の流れは図７の右側部分に示すようになり、双方のルータ１２及び１４がアクティブ状態にあり、これらルータの双方が、接続されたサブネットワークへの到達可能性を通知するようになる。しかし、ルータ１４のみがサブネットワークからトラフィックを受信したり、サブネットワークへトラフィックを送信したりするものである。カスタマポートを介してルータ１２が受信した全てのイングレストラフィックはメトロコアネットワークに転送されるが、カスタマサイトに向かうトラフィックの幾らかはルータ１２に送られるおそれがあり、このルータはこのトラフィックを意図する目的地に供給することができない。換言すれば、ノード１２が完全に故障し、リンク５８に情報を送らない場合には、ルータ１２がアクティブ状態にあることは問題とならない。問題は、ノード４２が部分的に故障し、何らかの情報をリンク５８においてルータ１２に送り、このルータがこの情報を所望の目的地に転送する場合に生じるものである。他の問題は、ルータ１２がアクティブ状態にあり、従って、ノード４２の故障の為にカスタマがルータ１２から連絡を受けることができないが、カスタマに転送すべきトラフィックを受けることができるということをこのルータ１２がネットワークの残りの部分に通知することである。
【００３８】
この問題は一般的なものであり、基本的にはイーサネットリンクに対しリンクプロトコルが存在しないことに依存する。すなわち、イーサネットポートを動作状態“アップ”にすることができるが、２つの通信路の層が依然として破壊されるおそれがある。このことは、ネットワーク管理処理センタ７６に対するＳＮＭＰトラップのような通知を発生させることにより解決しうる。このネットワーク管理処理センタ７６においては、オペレータがコンフィギュアダウン( Config down)信号７８を送信し、この処理により問題を解決することによりルータ１２を非アクティブ状態に構成しうる。ノード４２及び４４は、規則的な状態信号をルータ１２及び１４にそれぞれ送信し、これらルータが直接接続されたノードの１つが故障した場合を知りうるように設計することもできる。ノード４２が故障した場合に、完全に機能しているノード４４が警報メッセージを、ルータ１４を介してネットワーク管理処理センタ７６に送るようにすることもできる。その理由は、リンク７０を介して受信する状態通信が欠乏していることにより、ノード４４がこの故障を知りうるようになる為である。
【００３９】
リンク５８及び６０における故障のようなネットワークリンクの故障中に、タンデムノード５６をコアネットワークに接続しているネットワークリンクが故障すると、タンデムノード５６により何の処置もとられない。ネットワークリンク５８及び６０の一方の故障は、ルータ１２及び１４に直接接続された上側のノード４２，４４の故障と等価である。ＶＲＲＰ／ＨＳＲＰのようなルータ冗長機構を介するか、又はＯＳＰＦのような動的ルーティングプロトコルを用いることにより修復を達成することができる。上述したリンク故障を検出することに対する問題は、この事態においても存在する。タンデムノードは、修復を容易にするために、ネットワーク管理処理センタに事象通知メッセージを送ることができる。
【００４０】
デュアルネットワークリンク５８及び６０を設けることにより、ルータの故障中に、マーリンアクセスネットワークがルータの冗長性に対する支援を行うことができる。ＶＲＲＰ／ＨＳＲＰに対する制御トラフィックはデュアルネットワークリンク間で転送される。ルータが故障すると、マーリンシステムにより何の特定の処置もとられない。
【００４１】
故障後にタンデムノード５６がカスタマサービスを修復する時間は主として、リンク又はユニット故障を検出するのに必要な時間と、タンデムノード５６における２つのマーリンユニット４２及び４４に故障通知を伝搬するのに必要な時間と、１ポート当たりの状態をバックアップ側でパッシブ状態からアクティブ状態に切り替えるのに必要な時間とに依存する。リンクの故障を検出する有効な方法があれば、カスタマに対するサービスを５０ミリ秒以内で修復しうる。
【００４２】
トリー、チェーン及びポイント‐ポイントトポロジーを含む少なくとも３つの基本的なトポロジーをマーリンユニットで構成しうる。多レベルのマーリンネットワークでは、多くの組み合わせが可能である。非プロテクトトポロジーや、プロテクトトポロジーの全てのサポートされたトポロジーでは、サポートされたトポロジーが多くとも２つのアップリンクを有し、プロテクトトポロジーはシングルルートであり、従ってトップに１つのマーリンノード又は１つのタンデムノードがあり、トリートポロジーは常にシングルルートとなっており、従ってトップに１つのマーリンノード又は１つのタンデムノードがあり、トリー及びリングトポロジーでは、リーフポートに１つのシングルポート‐ＩＤが関連するという特徴がある。
【００４３】
サポートされたトポロジーは以下に説明するようにトリー、チェーン及びポイント‐ポイントトポロジーである。これらの３つの異なる種類のトポロジーは全て、冗長性の無い非プロテクトトポロジーや、冗長性の有るプロテクトトポロジーとして構成することができる。シングルマーリンは定義上トリーである。２レベルのトリーは、マーリンユニットのネットワークポートを他のマーリンユニットのアクセスポートに接続することにより構成することができる。
【００４４】
図８に最も良好に示すように、トリーを３レベルまで構成することができる為、非プロテクトトリートポロジー８０を構成することができる。トップマーリンユニット８２はルータ８４及び８６に接続されている。このようにすることにより、接続しうるカスタマの数が著しく増大する。
【００４５】
図９に最も良好に示すように、マーリンユニットは、第１のマーリンユニット９２の１つのネットワークポート９０が他のマーリンユニットのネットワークポート９４に接続されており、以下同様に接続が行われているデイジーチェーントポロジー８８に配置することができる。タグの第１部分は、マーリンユニットのレベルをアドレス指定し、タグの第２部分はマーリンユニットにおけるポートをアドレス指定することができる。このようにすると、マーリンユニットは、これがタグの第１部分において参照されたマーリンユニットでない限り、情報を転送する。マーリンユニットがアクセスポートの１つ内に情報を受信すると、このマーリンユニットはこのマーリンユニットに対するタグ番号の第１部分と、情報を送ったカスタマ又はポート番号に対するタグ番号の第２部分とを加えることができる。この場合、マーリンユニットは、上述したように双方のアップリンクで情報を転送する。１つのチェーンでは１２個までのユニットを接続することができる。所望に応じ、より多くの、又はより少ないユニットを用いることができること勿論である。同一の又は２つの独立のルータ９８及び１００をチェーンの２つの端点１０２及び１０４に接続することにより、このチェーンにおけるルータの冗長性をサポートすることもできる。チェーンが切断されると、ＶＲＲＰ／ＨＳＲＰ信号伝達が信頼的に機能しなくなる。その理由は、ルータに到達するチェーンノードに対するイーグレストラフィックが切断部の逆側で失われ、システムが決して修復されない為である。この事態においてもあるカスタマは依然としてサービスを有しうる。
【００４６】
これはＶＲＲＰ／ＨＳＲＰに関連する問題であり、原理的にはタンデムノードに関連して上述した問題と同じである。ＯＳＰＦのような他の機構は、チェーンが切断した後でも完全に修復しうる。ＶＲＲＰ／ＨＳＲＰはルータの冗長性を提供するとともに、ルータポートに直接接続されたリンクを保護するが、他の故障からは信頼的に修復しえない。
【００４７】
図１０に最も良好に示すように、マーリンユニット１０６及び１０８は、マーリンユニット１０６のネットワークポート１１２を他のマーリンユニット１０８のネットワークポート１１４に接続することにより、ポイント‐ポイントトポロジー１１０に接続しうる。カスタマ１０９はマーリンユニット１０６に接続され、カスタマ１１１はマーリンユニット１０８に接続されている。
【００４８】
保護されていないトリーをマーリンユニットから構成するのと同様にして、保護されたトリートポロジーを、タンデムノードを用いて構成することができる。タンデムノードは保護されたトリーである。多レベルの保護されたトリーは、マーリンユニット又はタンデムノードのネットワークポートの双方をタンデムノードのポート群の２つのポートに接続することにより構成することができる。
【００４９】
保護されたトリーには以下の条件を課すことができる。トリーは、レベル（ｉ）でも保護される場合にのみ、レベル（ｉ＋１）で保護される。この条件は、保護されたトリーは、ルートから開始してトップダウン（上から下）に向かうように構成されるということを意味する。例えば、第２のレベルがタンデムノードを用いて構成される場合には、このレベルは第１のレベルである。冗長トリートポロジーの例は、以下の図に示す。
【００５０】
図１１は、トップレベルを、タンデムノード１１８を用いて構成した冗長トリートポロジー１１６を示す。各トリートポロジーは、ルータに直接接続された１つのみのトップノードを有するのが好ましい。図１２には、冗長タンデムノード１２２、１２４及び１２６を用いて第２のレベルをも構成しているトリートポロジーを示す。ルータの冗長性は、保護されていないトリーにおけるのと全く同様に、すなわち、デュアル冗長ルータを保護されたトリーのデュアルアップリンクに接続することにより、保護されたトリーでサポートすることができる。
【００５１】
図１３に最も良好に示すように、保護されたチェーントポロジー１２８は、保護されていないチェーン１３４のアップリンク１３０及び１３２をタンデムノード１４０のポート群の２つのポート１３６及び１３８に接続することにより構成されている。ルータの冗長性は、２つのデュアル冗長ルータ１４２及び１４４をタンデムノード１４０の２つのネットワークポートに接続することにより得ることができる。タンデムノード１１８が受信するトラフィックは、何れのノードがアクティブ又はスタンバイモードにあるかに応じてリンク１３０及び１３２の一方において情報を欠落し、タンデムノード１１８は双方のアップリンク１４１及び１４３において情報を送る。タンデムノード１４０が受信するトラフィックは、上述したようにリンク１３０又はリンク１３２の何れかにおいてチェーン１３４に送られる。
【００５２】
図１４に示すように、２つのトランクリンク１４６及び１４８がポイント‐ポイント構造１５０で用いられている場合には、データは常に双方のリンクで送られる。この場合、ポイント‐ポイント構造１５０はルータを有していないことを銘記すべきである。例えば、ユニット１５２は双方のリンク１４６及び１４８でデータを送ることができる。ユニット１５４のような受信側では、データはリンク１４６及び１４８のうちの一方から受信される。ユニットは、データを受信する１つのアップリンクポートを自動的に選択することができる。ユニットは、アクティブリンクに故障がある場合に受信側の他のリンクに自動的に切り替えることができる。
【００５３】
タンデム状態をポート群に対して同期させるとともに、故障の場合にアクティブ／スタンバイ状態への切り替えを行うためには、上述したタンデムノード保護機構は、タンデムノードを構成するノード間での通信を必要とするおそれがある。タンデムノードを構成するノード間のシグナリングのこの条件を回避するためには、以下に説明する処置を例えば、軽量タンデム動作（ＬＷＴＯ）において用いることができる。
【００５４】
ＬＷＴＯでは、タンデムノードの双方の半部が最初にアクティブ状態にある。これらの半部の１つに接続されているアクセスリンクが故障した場合、或いはこれらの半部の１つの下にあるリンク／ノードが故障した場合には、タンデムノードの有効部分が、いかなるシグナリングも行なわれることなしに直接スタンバイ状態に切り替わる。アクティブ状態及びスタンバイ状態における動作は、上述した動作とは僅かに相違する。ＬＷＴＯも、タンデムリンクを介して送られるあらゆるフレームのタグにおいて１ビットを使用する。
【００５５】
ＬＷＴＯでは、アクティブ状態は、ポート群ｐに対して次のように動作する。すなわち、ポート群ｐのアクセスポートから受信したトラフィックはネットワークポートＵ１に伝送される。更に、トラフィックがマーキングされてネットワークポートＵ２に送られる。ネットワークポートＵ１から受信され、ＯｘＸＸｐのタグが付されたトラフィックは、アクセスポートｐに送信される。ネットワークポートＵ２から受信され、ＯｘＸＸｐのタグが付されているが、マーキングされていないトラフィックも、アクセスポートｐに送信される。ネットワークポートＵ２から受信され、ＯｘＸＸｐのタグが付され、マーキングされたトラフィックは破棄される。
【００５６】
ＬＷＴＯでは、スタンバイ状態はポート群ｐに対して次のように動作する。すなわち、アクセスポートｐから受信されたトラフィックは破棄される。ネットワークポートＵ１から受信され、ＯｘＸＸｐのタグが付されたトラフィックは、マーキングされない状態でネットワークポートＵ２に送信される。ネットワークポートＵ２から受信され、ＯｘＸＸｐのタグが付され、マーキングされたトラフィックは、マーキングが外されてネットワークポートＵ１を介して送信される。ネットワークポートＵ２から受信され、ＯｘＸＸｐのタグが付されているが、マーキングされていないトラフィックは破棄される。
【００５７】
構成部分の上述した作用の場合、タンデムノードの動作は以下の通りである。最初は、タンデムノードを構成する双方のノードがアクティブ状態にある。ポート群ｐのアクセスポートから受信されたトラフィックは、構成ノードのＵ１リンクのようなタンデムノードのネットワークポートを介して送信される。バックアップトラフィックはタンデムリンクを介してマーキングされて送信され、受信側で廃棄される。タンデムノードの何れかのネットワークポートを介して受信され、ＯｘＸＸｐのタグが付されたトラフィックは、トラフィックを受信する構成ノードによりポート群のアクセスポートｐに送信される。ポート群ｐのポートに接続されているアクセスリンクの１つに故障が生じた場合には、この故障したリンクが接続されているノードがポート群ｐに対してスタンバイ状態に切り替わる。スタンバイ／アクティブを含むこの構成では、トラフィックの流れは次の通りである。すなわち、スタンバイノードは、ＯｘＸＸｐのタグが付され、マーキングされたトラフィックを、ネットワークポートＵ２を介して受信し、このトラフィックを、マーキングを外してネットワークポートＵ１を介して送信する。ネットワークポートＵ１から受信され、ＯｘＸＸｐのタグが付されたトラフィックは、マーキングされない状態でネットワークポートＵ２を介して送信される。アクセスポートｐからのトラフィックは廃棄される。タンデムノードのアクティブ部分は、ＯｘＸＸｐのタグが付されているが、マーキングされていないトラフィックを、スタンバイノードからタンデムリンクを介して受信し、これをアクセスポートｐに転送する。この動作モードでは、故障を検出したノードのみが動作を変更し、従って、タンデムノードの構成部分間のシグナリングが必要とならないことを銘記すべきである。
【００５８】
本発明を好適な構成及び実施例で説明したが、特許請求の範囲及びその精神を逸脱することなしに、種々の変更を施しうること、明らかである。
【図面の簡単な説明】
【００５９】
【図１】図１は、ＶＬＡＮカスタマ分離が行われる従来のアクセスネットワークの線図である。
【図２】図２は、アクセスネットワークにおけるマーリンユニットの線図である。
【図３】図３は、タンデムモードで接続された２つのマーリンユニットを示す線図である。
【図４】図４は、タンデムノードを示す線図である。
【図５】図５は、内部リンク故障の修復を示す線図である。
【図６】図６は、タンデムリンク故障の修復を示す線図である。
【図７】図７は、ノード故障の修復を示す線図である。
【図８】図８は、保護されていないトリートポロジーを示す線図である。
【図９】図９は、冗長デイジーチェーントポロジーを示す線図である。
【図１０】図１０は、保護されていないポイント‐ポイントトポロジーを示す線図である。
【図１１】図１１は、タンデムノードを有する冗長トリートポロジーを示す線図である。
【図１２】図１２は、複数のタンデムノードを有する冗長トリートポロジーを示す線図である。
【図１３】図１３は、タンデムノードを有する冗長リングトポロジーを示す線図である。
【図１４】図１４は、冗長ポイント‐ポイントトポロジーを示す線図である。
【図１】
2007533205.tif 000003
【図２】
2007533205.tif 000004
【図３】
2007533205.tif 000005
【図４】
2007533205.tif 000006
【図５】
2007533205.tif 000007
【図６】
2007533205.tif 000008
【図７】
2007533205.tif 000009
【図８】
2007533205.tif 000010
【図９】
2007533205.tif 000011
【図１０】
2007533205.tif 000012
【図１１】
2007533205.tif 000013
【図１２】
2007533205.tif 000014
【図１３】
2007533205.tif 000015
【図１４】
2007533205.tif 000016
【国際調査報告】
2007533205.tif 000017
2007533205.tif 000018